(57)【要約】【課題】従来、封入袋を開封してコーヒー抽出材料を密閉缶の缶内に移し変えることによってコーヒー抽出材料の劣化を防止する方法もあるが、移し変える手間が煩わしいし、密閉缶を飾りとして並べたとしても、装飾形態を変化させることができず、効果的な装飾を演出できないという課題があった。【解決手段】本発明によるコーヒー抽出材料の複数封入体１は、１杯分又は数杯分のコーヒー抽出材料２の封入された封入体３が一方向Ｘに複数連続して設けられ、封入体３の１つ１つが分離可能に形成されたことを特徴とする。【選択図】図１
2008030774.tif 000002
【特許請求の範囲】
【請求項１】
１杯分又は数杯分のコーヒー抽出材料の封入された封入体が一方向に複数連続して設けられ、封入体の１つ１つが分離可能に形成されたことを特徴とするコーヒー抽出材料の複数封入体。
【請求項２】
複数封入体の両端に位置する封入体に連結部を設けたことを特徴とする請求項１に記載のコーヒー抽出材料の複数封入体。
【請求項３】
請求項１又は請求項２に記載の複数封入体と、当該複数封入体が引き出し可能に巻き付けられたドラムとを備えたことを特徴とする装飾装置。
【発明の詳細な説明】
【技術分野】
【０００１】
本発明は、装飾品として利用でき装飾形態を容易に変更可能なコーヒー抽出材料の複数封入体及びこれを用いた装飾装置に関する。
【背景技術】
【０００２】
コーヒーの煎り豆又はコーヒー粉などのコーヒー抽出材料は１つの袋に封入されている。
【特許文献１】特開平１０−００１１８１号公報
【発明の開示】
【発明が解決しようとする課題】
【０００３】
しかしながら、コーヒー抽出材料の封入された従来の封入袋は、開封してしまうと、開封した封入袋の開封部を輪ゴムやクリップのような封止具で封じたとしても、湿気や雑菌などによって袋内のコーヒー抽出材料が劣化してしまうし、見栄えも悪いという課題があった。封入袋を開封してコーヒー抽出材料を密閉缶の缶内に移し変えることによってコーヒー抽出材料の劣化を防止する方法もあるが、移し変える手間が煩わしいし、密閉缶を飾りとして並べたとしても、装飾形態を変化させることができず、効果的な装飾を演出できないという課題があった。
【課題を解決するための手段】
【０００４】
本発明によるコーヒー抽出材料の複数封入体は、１杯分又は数杯分のコーヒー抽出材料の封入された封入体が一方向に複数連続して設けられ、封入体の１つ１つが分離可能に形成されたことを特徴とする。
複数封入体の両端に位置する封入体に連結部を設けたことも特徴とする。
本発明による装飾装置は、上記複数封入体と、当該複数封入体が引き出し可能に巻き付けられたドラムとを備えたことを特徴とする。
【発明の効果】
【０００５】
本発明によるコーヒー抽出材料の複数封入体によれば、１杯分又は数杯分のコーヒー抽出材料の封入された封入体単位でコーヒー抽出材料を使い切ることができるので、コーヒー抽出材料の劣化を防止できる。また、複数封入体をテーブルの上に置いたり、壁や天井から吊るしたりすることで、複数封入体を効果的な装飾を演出可能な装飾品として利用できる。
複数封入体の両端に位置する封入体に連結部を設けたことによって、ドラムの巻き取り軸に複数封入体を容易に引き出し可能に巻き付けることができて、装飾装置を形成できる。また、複数封入体同士の連結を容易に行えるとともに、複数封入体の生産を容易とでき、運搬や取扱いの容易な複数封入体を提供できる。
本発明による装飾装置によれば、ドラムにより、複数封入体の引き出し長さを調整することによって、複数封入体による装飾形態を容易に変化させることができるため、複数封入体を効果的な装飾を演出できる装飾品として利用できる装飾装置を提供できる。また、複数並べることで、複数封入体による装飾効果を高めることができる。
【発明を実施するための最良の形態】
【０００６】
図１乃至図４は本発明の最良の形態を示し、図１は複数封入体１を示し、図２は複数封入体１の製造方法を示し、図３は装飾装置を示し、図４は装飾装置の設置例を示す。
【０００７】
図１を参照し、コーヒー抽出材料を封入した複数封入体１を説明する。複数封入体１は、１杯分のコーヒー抽出材料２の封入された封入体３が、一方向Ｘに沿って複数連続して形成された構成である。ここで、１杯分とは、例えば、８グラム〜１５グラム程度の量である。封入体３の数は２つ以上であり、例えば、長方形状に形成された封入体３を１０個備えた構成である。
【０００８】
図１及び図２を参照し、複数封入体１の生産方法を説明する。尚、生産は専用の生産機械により製造される。まず、図２に示すように、紫外線を通さない又は紫外線を通しにくい性質を有する合成樹脂により形成された薄い長尺なフィルム４であって、封入体３の長方形状の長辺の長さの２倍以上の長さの長尺なフィルム４の上に、コーヒー抽出材料２の収納部となるスペース５を区画するように熱溶着材６を設ける。熱溶着材６で囲まれた内側のスペース５上にコーヒー抽出材料２を載せた後に、折り曲げ部ａで折り曲げることによって、熱溶着材６を互いに重ね合わせる。フィルム４の上から熱溶着材６の部分に熱を加えることによって上下のフィルム４を熱溶着材６の溶着によって互いに接着する。つまり、所謂、ヒートシールを行うことによって、図１に示すように、コーヒー抽出材料２がヒートシールで密封された収納部７に封入される。これにより、収納部７が一方向Ｘに沿って断続的に設けられた中間製品が得られる。中間製品の収納部７と収納部７との間の部分８には一方の長辺端部９から他方の長辺端部１０にかけて断続する複数の孔１１が形成される。つまり、複数の孔１１によって、所謂、ミシン目と呼ばれるような分離補助部１２が形成される。分離補助部１２で分離される個体が封入体３を構成する。
即ち、複数封入体１は、複数の封入体３が分離補助部１２を介して一方向に連続して設けられ、封入体３の１つ１つが分離補助部１２によって分離容易に形成された構造である。
【０００９】
最良の形態の複数封入体１によれば、例えば、喫茶店においてコーヒーの注文があった場合に、その注文数に合わせた数だけ複数封入体１より封入体３を分離し、その分離した封入体を開封して封入されていたコーヒー抽出材料を使い切ることができるので、コーヒー抽出材料の劣化を防止できる。
また、複数封入体１をテーブルの上に置いたり、壁や天井から吊るしたりすることで、複数封入体１を効果的な装飾を演出可能な装飾品として利用できる。
【００１０】
図３を参照し、複数封入体１を装飾品として利用可能な装飾装置３１について説明する。装飾装置３１は、複数封入体１と、当該複数封入体１が引き出し可能に巻き付けられたドラム２１とによって構成される。尚、ドラム２１は、例えば、巻き取り軸２２と、巻き取り軸２２を回転可能に支持する軸受部２６、軸受部２６同士を互いに連結するベース２７と、巻き取り軸２２の回転を操作するためのハンドル２５とを備えた構成である。
装飾装置３１を構成するため、例えば、図１に示すように、複数封入体５の両端部１３；１４、即ち、複数封入体５の両端にそれぞれ位置する封入体３；３の連結されていない自由端部には、連結部としての連結用孔１５が形成される。連結用孔１５は、端部１３；１４のそれぞれに１個ずつ設けるようにしてもよいが、図１のように、２個ずつ設ければ、複数封入体５が連結用孔１５に挿入される後述の連結軸２３や連結ピンを中心として回転しないので好ましい。
そして、図３に示すように、ドラム２１の巻き取り軸２２には、連結部としての連結軸２３が設けられる。ドラム２１の巻き取り軸２２に設けられた連結軸２３と複数封入体１の一端部に形成された連結用孔１５とを互いに係合させることによって複数封入体１の一端部をドラム２１の巻き取り軸２２に取付けてから、ドラム２１の巻き取り軸２２をハンドル２５の操作で回転させることによって、複数封入体１がドラム２１の巻き取り軸２２に引き出し可能に巻付けられる。
装飾装置３１によれば、ドラム２１によって複数封入体１の引き出し長さを調整することにより、複数封入体１による装飾形態を容易に変化させることができるため、複数封入体１を効果的な装飾を演出できる装飾品として利用できる。
特に、この装飾装置を、複数並べて設けることによって、複数封入体１による装飾効果を高めることができる。
【００１１】
例えば、図４に示すように、複数のドラム２１を天井４１に止ねじなどの固定具４２で取付け、複数のドラム２１からそれぞれ複数封入体１を垂れ下げるようにし、それぞれの垂れ下げ長さを調整することにより、複数封入体１による装飾効果を高めることができる。
【００１２】
また、ドラム２１の巻き取り軸２２に取り付けられた複数封入体１の他端１４の連結用孔１５と追加の複数封入体１の一端１３の連結用孔１５とを一致させ、図外の連結ピンなどの連結具によって連結することによって、複数封入体１を追加できる。複数封入体１同士の連結用の連結部としての連結用孔１５を備えた複数封入体１によれば、複数封入体１同士の連結を容易に行えるという効果の他に、複数封入体１として長辺の長さの短いものを生産すればよく、生産が容易となって生産効率を向上でき、また、運搬や取扱いも容易となる。
【００１３】
尚、ラチェット機構によって複数封入体１が巻き取られる方向の回転が規制される構成のドラム２１を用いれば、複数封入体１の引き出し操作が容易となる。
複数封入体１を巻き取る方向に常に付勢するばねと複数封入体１が巻き取られる方向の回転を規制するラチェット機構と複数封入体１が引き出す方向に操作されることによってラチェット機構による規制を解除するラチェット解除機構とを備えた構成のドラム２１を用いれば、複数封入体１の引き出し長さを微調整できるようになるので、装飾調整の容易な装飾装置３１を提供できる。
【産業上の利用可能性】
【００１４】
封入体３に、数杯分のコーヒー抽出材料２を封入してもよい。例えば、１５グラム〜５０グラム程度の量を封入体３に封入してもよい。即ち、封入体３に封入するコーヒー抽出材料２の量は、１回又は数回（例えば５回程度まで）の使用によって使い切れる量とすればよい。
また、複数封入体１の外観に特徴があればより装飾性を向上できるが、複数封入体１の外観が単色で無模様であったとしても、複数封入体１の封入体３の形状による装飾性を提供できる。
【図面の簡単な説明】
【００１５】
【図１】複数封入体を示す斜視図（最良の形態）。
【図２】複数封入体１の製造方法を示す展開図（最良の形態）。
【図３】装飾装置を示す斜視図（最良の形態）。
【図４】装飾装置の設置例を示す図（最良の形態）。
【符号の説明】
【００１６】
１  複数封入体、２  コーヒー抽出材料、３  封入体、
１５  連結用孔（連結部）、２１  ドラム、３１  装飾装置。
【図１】
2008030774.tif 000003
【図２】
2008030774.tif 000004
【図３】
2008030774.tif 000005
【図４】
2008030774.tif 000006